(57)【要約】【課題】給紙トレーの上側に排紙トレーを２段重ねで配置した場合に、排紙トレーに排紙された記録用紙を簡単に取り出すことができるようにし、また、給紙トレーに対する記録用紙の補充も簡単に行うことができるようにする。【解決手段】給紙トレー１５の上側に、印画されたカット紙１２の収納容器１３及び収納容器１３に取り付けられる開閉可能な蓋体１４によって構成される排紙トレーを２段重ねで配置した際、蓋体１４を開けると収納容器１３内に収納されたカット紙１２が取出し可能となり、収納容器１３を開けると給紙トレー１５に対するカット紙１２の補充が可能となるようにした。【選択図】図１
2006036449.tif 000002
【特許請求の範囲】
【請求項１】
印画された記録用紙の収納容器と、
前記収納容器に取り付けられる開閉可能な蓋体と
を備え、
画像形成装置の印画部で印画された前記記録用紙を前記収納容器内に収納する排紙トレーであって、
前記収納容器内に積層して収納された複数の前記記録用紙の仕分け部材を備え、
前記蓋体を開けると前記収納容器内で仕分けされた所望の前記記録用紙が取出し可能となる
ことを特徴とする排紙トレー。
【請求項２】
請求項１に記載の排紙トレーにおいて、
前記仕分け部材は、仕分けされた所望の前記記録用紙よりも上に積層された他の全ての前記記録用紙を前記蓋体の裏面側に保持する
ことを特徴とする排紙トレー。
【請求項３】
請求項１に記載の排紙トレーにおいて、
前記蓋体は、前記蓋体上に情報を表示する表示器を備え、前記表示器は、前記印画部によって前記記録用紙に印画済みの情報画面を表示する
ことを特徴とする排紙トレー。
【請求項４】
請求項１に記載の排紙トレーにおいて、
前記蓋体は、前記蓋体上に情報を表示する表示器を備え、前記表示器は、前記印画部によって前記記録用紙に印画済みの情報画面を表示するとともに、タッチパネル機能を有しており、前記表示器に表示された情報画面の選択に基づいて、前記収納容器内で積層する複数の前記記録用紙が仕分けされる
ことを特徴とする排紙トレー。
【請求項５】
記録用紙の給紙トレーと、
印画された前記記録用紙の収納容器及び前記収納容器に取り付けられる開閉可能な蓋体を備える排紙トレーと
を備え、
前記給紙トレーから給紙された前記記録用紙を画像形成装置の印画部で印画し、印画された前記記録用紙を前記排紙トレーの前記収納容器内に排紙する給排紙装置であって、
前記給紙トレーの上側に前記排紙トレーが２段重ねで配置され、前記給紙トレーと前記排紙トレーとの間が開閉可能であり、前記給紙トレーと前記排紙トレーとの間を開けると前記給紙トレーに対する前記記録用紙の補充が可能となり、前記蓋体を開けると前記収納容器内に収納された前記記録用紙が取出し可能となる
ことを特徴とする給排紙装置。
【請求項６】
請求項５に記載の給排紙装置において、
前記記録用紙は、前記給紙トレーから給紙され、折り曲げられて、前記排紙トレーの前記収納容器内に排紙される
ことを特徴とする給排紙装置。
【請求項７】
請求項５に記載の給排紙装置において、
前記排紙トレーは、前記収納容器内に積層して収納された複数の前記記録用紙の仕分け部材を備え、
前記蓋体を開けると前記収納容器内で仕分けされた所望の前記記録用紙が取出し可能となる
ことを特徴とする給排紙装置。
【請求項８】
請求項５に記載の給排紙装置において、
前記排紙トレーは、前記収納容器内に積層して収納された複数の前記記録用紙の仕分け部材を備え、
前記仕分け部材は、仕分けされた所望の前記記録用紙よりも上に積層された他の全ての前記記録用紙を前記蓋体の裏面側に保持することにより、前記蓋体を開けると前記収納容器内で仕分けされた所望の前記記録用紙が取出し可能となる
ことを特徴とする給排紙装置。
【請求項９】
請求項５に記載の給排紙装置において、
前記蓋体は、前記蓋体上に情報を表示する表示器を備え、前記表示器は、前記印画部によって前記記録用紙に印画済みの情報画面を表示する
ことを特徴とする給排紙装置。
【請求項１０】
請求項５に記載の給排紙装置において、
前記排紙トレーは、前記収納容器内に積層して収納された複数の前記記録用紙の仕分け部材を備え、
前記蓋体は、前記蓋体上に情報を表示する表示器を備え、前記表示器は、前記印画部によって前記記録用紙に印画済みの情報画面を表示するとともに、タッチパネル機能を有しており、前記表示器に表示された情報画面の選択に基づいて、前記収納容器内で積層する複数の前記記録用紙が仕分けされる
ことを特徴とする給排紙装置。
【請求項１１】
記録用紙に印画を行う印画部と、
前記記録用紙の給紙トレーと、
印画された前記記録用紙の収納容器及び前記収納容器に取り付けられる開閉可能な蓋体を備える排紙トレーと
を備え、
前記給紙トレーから給紙された前記記録用紙を前記印画部で印画し、印画された前記記録用紙を前記排紙トレーの前記収納容器内に排紙する画像形成装置であって、
前記給紙トレーの上側に前記排紙トレーが２段重ねで配置され、前記給紙トレーと前記排紙トレーとの間が開閉可能であり、前記給紙トレーと前記排紙トレーとの間を開けると前記給紙トレーに対する前記記録用紙の補充が可能となり、前記蓋体を開けると前記収納容器内に収納された前記記録用紙が取出し可能となる
ことを特徴とする画像形成装置。
【請求項１２】
請求項１１に記載の画像形成装置において、
前記記録用紙は、前記給紙トレーから給紙され、折り曲げられて、前記排紙トレーの前記収納容器内に排紙される
ことを特徴とする画像形成装置。
【請求項１３】
請求項１１に記載の画像形成装置において、
前記印画部は、前記給紙トレーと前記排紙トレーとを２段重ねに配置した一端側に備えられている
ことを特徴とする画像形成装置。
【請求項１４】
請求項１１に記載の画像形成装置において、
印画用のインクのインク収容部を備え、
前記インク収容部と前記給紙トレーと前記排紙トレーとが３段重ねで配置され、前記インク収容部と前記給紙トレー又は前記排紙トレーとの間が開閉可能であり、前記インク収容部と前記給紙トレー又は前記排紙トレーとの間を開けると前記インク収容部に対する前記インクの補充が可能となる
ことを特徴とする画像形成装置。
【請求項１５】
請求項１１に記載の画像形成装置において、
前記排紙トレーは、前記収納容器内に積層して収納された複数の前記記録用紙の仕分け部材を備え、
前記蓋体を開けると前記収納容器内で仕分けされた所望の前記記録用紙が取出し可能となる
ことを特徴とする画像形成装置。
【請求項１６】
請求項１１に記載の画像形成装置において、
前記排紙トレーは、前記収納容器内に積層して収納された複数の前記記録用紙の仕分け部材を備え、
前記仕分け部材は、仕分けされた所望の前記記録用紙よりも上に積層された他の全ての前記記録用紙を前記蓋体の裏面側に保持することにより、前記蓋体を開けると前記収納容器内で仕分けされた所望の前記記録用紙が取出し可能となる
ことを特徴とする画像形成装置。
【請求項１７】
請求項１１に記載の画像形成装置において、
前記蓋体は、前記蓋体上に情報を表示する表示器を備え、前記表示器は、前記印画部によって前記記録用紙に印画済みの情報画面を表示する
ことを特徴とする画像形成装置。
【請求項１８】
請求項１１に記載の画像形成装置において、
前記排紙トレーは、前記収納容器内に積層して収納された複数の前記記録用紙の仕分け部材を備え、
前記蓋体は、前記蓋体上に情報を表示する表示器を備え、前記表示器は、前記印画部によって前記記録用紙に印画済みの情報画面を表示するとともに、タッチパネル機能を有しており、前記表示器に表示された情報画面の選択に基づいて、前記収納容器内で積層する複数の前記記録用紙が仕分けされる
ことを特徴とする画像形成装置。
【請求項１９】
印画された記録用紙の収納容器と、
前記収納容器に取り付けられる開閉可能な蓋体と、
前記蓋体上に情報を表示する表示器と
を備え、
前記表示器に表示された情報を縦覧可能とする情報表示装置であって、
前記表示器は、画像形成装置の印画部で印画され、前記収納容器内に収納された前記記録用紙に印画済みの情報画面を表示し、
前記蓋体を開けると前記収納容器内に収納された前記記録用紙が取出し可能となる
ことを特徴とする情報表示装置。
【請求項２０】
請求項１９に記載の情報表示装置において、
前記収納容器内に積層して収納された複数の前記記録用紙の仕分け部材を備え、
前記蓋体を開けると前記表示器に表示中の情報画面が印画された前記記録用紙が仕分けされて取出し可能となる
ことを特徴とする情報表示装置。
【請求項２１】
請求項１９に記載の情報表示装置において、
前記収納容器内に積層して収納された複数の前記記録用紙の仕分け部材を備え、
前記仕分け部材は、前記表示器に表示中の情報画面が印画された前記記録用紙よりも上に積層された他の全ての前記記録用紙を前記蓋体の裏面側に保持することにより、前記蓋体を開けると前記表示器に表示中の情報画面が印画された前記記録用紙が仕分けされて取出し可能となる
ことを特徴とする情報表示装置。
【請求項２２】
請求項１９に記載の情報表示装置において、
前記収納容器内に積層して収納された複数の前記記録用紙の仕分け部材を備え、
前記表示器は、タッチパネル機能を有しており、前記表示器に表示された情報画面の選択に基づいて、前記収納容器内で積層する複数の前記記録用紙が仕分けされる
ことを特徴とする情報表示装置。
【発明の詳細な説明】
【技術分野】
【０００１】
本発明は、印画された記録用紙を収納する画像形成装置の排紙トレー、画像形成装置における記録用紙の給排紙装置、さらに、プリンタ、複写機、ファクシミリ等の各種の画像形成装置、及び表示器に表示された画像等の各種の情報を縦覧可能とする情報表示装置に係るものであり、詳しくは、スペース効率やデザイン性に優れ、しかも、印画された記録用紙を容易に取り出すことができるようにした技術に関するものである。
【背景技術】
【０００２】
プリンタ、複写機、ファクシミリ等の各種の画像形成装置によって印画を行うには、一般的に、給紙トレー内に収納されたカット紙等の記録用紙を順次搬送し、インクジェットヘッド等の印画部で印画を行っている。そして、印画された記録用紙は、排紙トレーに排紙され、ストックされる。
【０００３】
また、記録用紙に印画を行うための印画データは、パーソナルコンピュータやデジタルカメラ等の情報取得手段から、各種のインターフェース（ＲＳ２３２Ｃ，ＳＣＳＩ，ＩＥＥＥ１３９４，ＵＳＢ等）を介して取得され、メモリに記憶等される。そして、メモリに記憶等された印画データに基づいて、記録用紙に印画が行われることとなる。
【０００４】
ここで、印画データの情報取得手段であるデジタルカメラを着脱自在に接続できるようにしたプリンタが知られている。すなわち、デジタルカメラを接続した状態で印画データを取得する接続基台を備え、この接続基台で取得した印画データの画像に基づいて、記録用紙に印画を行うようにしたプリンタである（例えば、特許文献１参照）。
【特許文献１】特開２０００−３６９３１号公報
【０００５】
上記の特許文献１に記載の技術によれば、デジタルカメラの背面にある液晶ディスプレイに画像を表示させ、印画する画像を選択する。そして、選択した画像の印画データをプリンタに転送する。印画データが転送されると、プリンタに備えられた搬送ローラによって給紙トレーからカット紙（記録用紙）が搬送され、印画部で印画が行われる。また、印画が行われたカット紙は、搬送ローラを逆回転させることにより、給紙トレーの上側に２段重ねで配置された排紙トレーに排出され、ストックされる。
【発明の開示】
【発明が解決しようとする課題】
【０００６】
しかし、上記の特許文献１には、２段重ねの下側に位置する給紙トレー内へのカット紙の収納方法について、何ら開示されていない。そのため、給紙トレーに対して、カット紙をどのように補充するのかが明らかでない。
また、上側に位置する排紙トレーにストックされたカット紙の取出し方法についても、何ら開示されていない。そのため、印画が行われ、排紙トレー内で積層するカット紙の中から、所望のカット紙をどのように取り出すのかが明らかでない。
【０００７】
しかも、印画を行う画像は、デジタルカメラに備えられた液晶ディスプレイに表示されるだけなので、プリンタからデジタルカメラを取り外した後は、画像を表示する手段が存在しない。そのため、プリンタによって実際に印画が行われた画像がどのようなものであるかを後から確認することができない。
【０００８】
したがって、本発明が解決しようとする課題は、給紙トレーの上側に排紙トレーを２段重ねで配置したとしても、排紙トレーに排紙された記録用紙を簡単に取り出すことができるようにし、また、給紙トレーに対する記録用紙の補充も簡単に行えるようにした排紙トレー、給排紙装置、画像形成装置を提供することであり、さらに、印画された記録用紙の印画内容を後から容易に確認できるようにした情報表示装置を提供することである。
【課題を解決するための手段】
【０００９】
本発明は、以下の解決手段によって、上述の課題を解決する。
本発明の１つである請求項１に記載の発明は、印画された記録用紙の収納容器と、前記収納容器に取り付けられる開閉可能な蓋体とを備え、画像形成装置の印画部で印画された前記記録用紙を前記収納容器内に収納する排紙トレーであって、前記収納容器内に積層して収納された複数の前記記録用紙の仕分け部材を備え、前記蓋体を開けると前記収納容器内で仕分けされた所望の前記記録用紙が取出し可能となることを特徴とする。
【００１０】
すなわち、請求項１に記載の発明は、排紙トレーの収納容器内に、記録用紙の仕分け部材を備えている。そのため、収納容器内で積層する複数の記録用紙が収納容器内で仕分けされることとなり、その結果、印画された所望の記録用紙を容易に取り出すことができるようになる。なお、仕分け部材としては、仕分けされた所望の記録用紙よりも上に積層された他の全ての記録用紙を蓋体の裏面側に保持するようなものが好適である。このような仕分け部材であれば、収納容器内で積層する記録用紙の一番上のものが所望の記録用紙となるので、蓋体を開けるだけで簡単に所望の記録用紙が取り出せる。
【００１１】
また、本発明の他の１つである請求項５に記載の発明は、記録用紙の給紙トレーと、印画された前記記録用紙の収納容器及び前記収納容器に取り付けられる開閉可能な蓋体を備える排紙トレーとを備え、前記給紙トレーから給紙された前記記録用紙を画像形成装置の印画部で印画し、印画された前記記録用紙を前記排紙トレーの前記収納容器内に排紙する給排紙装置であって、前記給紙トレーの上側に前記排紙トレーが２段重ねで配置され、前記給紙トレーと前記排紙トレーとの間が開閉可能であり、前記給紙トレーと前記排紙トレーとの間を開けると前記給紙トレーに対する前記記録用紙の補充が可能となり、前記蓋体を開けると前記収納容器内に収納された前記記録用紙が取出し可能となることを特徴とする。
【００１２】
さらに、本発明の他の１つである請求項１１に記載の発明は、記録用紙に印画を行う印画部と、前記記録用紙の給紙トレーと、印画された前記記録用紙の収納容器及び前記収納容器に取り付けられる開閉可能な蓋体を備える排紙トレーとを備え、前記給紙トレーから給紙された前記記録用紙を前記印画部で印画し、印画された前記記録用紙を前記排紙トレーの前記収納容器内に排紙する画像形成装置であって、前記給紙トレーの上側に前記排紙トレーが２段重ねで配置され、前記給紙トレーと前記排紙トレーとの間が開閉可能であり、前記給紙トレーと前記排紙トレーとの間を開けると前記給紙トレーに対する前記記録用紙の補充が可能となり、前記蓋体を開けると前記収納容器内に収納された前記記録用紙が取出し可能となることを特徴とする。
【００１３】
すなわち、請求項５に記載の発明は、２段重ねで配置された給紙トレーと排紙トレーとの間を開閉可能とすることにより、給紙トレーと排紙トレーとの間を開けるだけで、給紙トレーに対する記録用紙の補充を可能としたものである。
そして、請求項１１に記載の発明は、上記の請求項５の給排紙装置を備えるようにした画像形成装置である。
【００１４】
さらにまた、本発明の他の１つである請求項１９に記載の発明は、印画された記録用紙の収納容器と、前記収納容器に取り付けられる開閉可能な蓋体と、前記蓋体上に情報を表示する表示器とを備え、前記表示器に表示された情報を縦覧可能とする情報表示装置であって、前記表示器は、画像形成装置の印画部で印画され、前記収納容器内に収納された前記記録用紙に印画済みの情報画面を表示し、前記蓋体を開けると前記収納容器内に収納された前記記録用紙が取出し可能となることを特徴とする。
【００１５】
すなわち、請求項１９に記載の発明は、表示器により、蓋体上に、画像形成装置の印画部で印画済みの情報画面を表示する。そのため、蓋体上に表示された情報画面を確認すれば、実際に印画が行われ、現に収納容器内に収納されている記録用紙の印画内容を後から容易に確認することができる。
【００１６】
上記の各発明においては、名称は何であれ、最終的に同一形態のものとすることができる。すなわち、排紙トレー、給排紙装置、又は情報表示装置に印画部を備えた形態が画像形成装置である。そして、給排紙装置、画像形成装置、又は情報表示装置における印画済みの記録用紙の収納容器内に、記録用紙の仕分け部材を備えるようにすれば、上記の請求項１の排紙トレーと同様に、印画された所望の記録用紙を特に容易に取り出すことができるようになる。
【００１７】
ここで、給紙トレーの上側に排紙トレーを２段重ねで配置した場合、給紙トレーから給紙された記録用紙が折り曲げられて排紙トレーに排紙されるようにすれば、搬送ローラを逆回転させる必要がないので、印画が高速化される。また、給紙トレーと排紙トレーとを２段重ねに配置した一端側に印画部を備えることによって平面的な外観となり、スペース効率に優れるだけでなく、デザイン的にも優れたものとなる。なお、印画用のインクのインク収容部は、給紙トレーや排紙トレーとともに、３段重ねで配置することにより、スペース効率や優れたデザイン性を維持できる。そして、この場合のインクの補充は、インク収容部と給紙トレー又は排紙トレーとの間を開閉可能としておき、この間を開けて行うようにすれば良い。
【００１８】
そして、排紙トレー、給排紙装置、又は画像形成装置に表示器を備えた形態が情報表示装置である。この場合、タッチパネル機能を有する表示器を備えるようにすれば、表示器に表示された情報画面の選択をするだけで、収納容器内の記録用紙の仕分けができるようにすることも可能となる。
【発明の効果】
【００１９】
本発明の排紙トレー、給排紙装置、画像形成装置、及び情報表示装置によれば、給紙トレーの上側に排紙トレーが２段重ねで配置されていても、蓋体を開けるだけで簡単に収納容器内の記録用紙を取り出すことができる。そして、収納容器内に積層して収納された複数の記録用紙の仕分け部材を備えることにより、所望の記録用紙が取出し可能となる。また、蓋体上に情報を表示する表示器を備えることにより、収納容器内に収納された印画済みの記録用紙に印画されている画像を容易に確認することができる。
【発明を実施するための最良の形態】
【００２０】
以下、図面を参照して、本発明の一実施形態について説明する。
本発明における、排紙トレー、給排紙装置、画像形成装置、及び情報表示装置は、下記実施形態において同一形態のものであり、画像形成装置に相当するインクジェットプリンタ１０がそのまま情報表示装置にも相当し、インクジェットプリンタ１０の一部（収納容器１３及び蓋体１４）が排紙トレーに相当し、この排紙トレーと給紙トレー１５とが給排紙装置に相当する。
【００２１】
図１は、本実施形態のインクジェットプリンタ１０を示す斜視図である。
図１に示すように、インクジェットプリンタ１０は、インクジェットヘッド１１（本発明における印画部に相当するもの）によって印画されたカット紙１２（本発明における記録用紙に相当するもの）の収納容器１３と、収納容器１３に取り付けられた開閉可能な蓋体１４と、カット紙１２の給紙トレー１５とから構成されている。なお、収納容器１３と蓋体１４とにより、排紙トレーが構成されることとなる。また、蓋体１４上には、液晶ディスプレイ１６（本発明における表示器に相当するもの）が備えられている。
【００２２】
ここで、図１に示すように、排紙トレー（収納容器１３及び蓋体１４）は、給紙トレー１５の上側に重ねて配置されている。そして、インクジェットヘッド１１は、給紙トレー１５の一端側に配置されている。そのため、このインクジェットプリンタ１０は、カット紙１２を一回り大きくした平面的な外観となっており、スペース効率に優れ、しかも、デザイン的にも優れたものとなっている。
【００２３】
図２は、本実施形態のインクジェットプリンタ１０を示す断面図である。
図２に示すように、給紙トレー１５内にはカット紙１２が積層して収納されている。そして、カット紙１２は、給紙ローラに挟まれて上から一枚ずつ給紙され、インクジェットヘッド１１によって印画が行われる。
【００２４】
ここで、インクジェットヘッド１１は、多数のヘッドをカット紙１２の幅方向に並べて配置したものであり、印画幅分のラインヘッドを形成したライン方式のものである。そのため、インクジェットヘッド１１をカット紙１２の幅方向に移動させることなく、印画を行うことができる。
【００２５】
また、インクジェットヘッド１１には、インクカートリッジ１７（本発明におけるインク収容部に相当するもの）からＹ（イエロー）、Ｍ（マゼンタ）、Ｃ（シアン）、及びＫ（ブラック）の４色のインクが供給されており、カット紙１２にカラーの写真画質で印画を行うことができる。このインクカートリッジ１７は、給紙トレー１５の下側に重ねて配置されており、排紙トレー（収納容器１３及び蓋体１４）と合わせ、３段重ねとなっている。
【００２６】
そして、カット紙１２に対する印画データ（撮影画像等）は、デジタルカメラ等の情報取得手段（図示せず）からワイヤレスで送信され、制御基板１８に実装された受信部で受信されるとともに、メモリに記憶される。また、制御基板１８は、蓋体１４上に情報を表示する液晶ディスプレイ１６の表示の制御も行う。なお、制御基板１８には、デジタルカメラ等の情報取得手段（図示せず）との有線接続のための各種インターフェース（ＲＳ２３２Ｃ，ＳＣＳＩ，ＩＥＥＥ１３９４，ＵＳＢ等）を設けることもできる。
【００２７】
メモリに記憶された印画データに基づいて、インクジェットヘッド１１によって印画が行われたカット紙１２は、排紙ローラによって折り曲げられて排紙され、収納容器１３内に印画面を上にして収納される。そして、次々に連続して印画されたカット紙１２は、収納容器１３内で積層することとなる。
【００２８】
図３は、本実施形態のインクジェットプリンタ１０を示す断面図であり、蓋体１４を開けた状態を示す図である。
図３に示すように、収納容器１３内に積層して収納されたカット紙１２は、蓋体１４を開けることにより、取出し可能となっている。
【００２９】
ここで、収納容器１３内で積層するカット紙１２の中で、下に位置するカット紙１２が所望の画像が印画されたものである場合がある。そこで、図３に示すように、インクジェットプリンタ１０には、カット紙１２の仕分け部材１９が備えられている。この仕分け部材１９は、積層するカット紙１２の間に挟み込まれる爪であり、蓋体１４を開けると、仕分けされた所望のカット紙１２よりも上に積層された他の全てのカット紙１２を蓋体１４の裏面側に保持する。そのため、蓋体１４を開ければ、収納容器１３内で積層するカット紙１２の一番上のものが所望のカット紙１２となるので、所望のカット紙１２を簡単に取り出すことができる。
【００３０】
図４は、本実施形態のインクジェットプリンタ１０を示す断面図であり、排紙トレーを構成する収納容器１３を開けた状態を示す図である。
すなわち、図４に示すように、重ねて配置された給紙トレー１５と排紙トレー（収納容器１３）との間は、開閉可能となっている。そのため、排紙トレー（収納容器１３）を開ければ、給紙トレー１５に対するカット紙１２の補充が可能となる。
【００３１】
図５は、本実施形態のインクジェットプリンタ１０を示す断面図であり、カット紙１２の給紙トレー１５を開けた状態を示す図である。
すなわち、図５に示すように、重ねて配置された給紙トレー１５とインクカートリッジ１７との間は、開閉可能となっている。そのため、給紙トレー１５を開けることにより、インクカートリッジ１７に対するインクの補充（インクカートリッジ１７を交換する場合も含む）が可能となる。
【００３２】
図６は、本実施形態のインクジェットプリンタ１０を示す斜視図であり、蓋体１４上に情報が表示された状態を示す図である。
すなわち、図６示すように、蓋体１４上には、タッチパネル機能を有する液晶ディスプレイ１６が備えられている。そのため、液晶ディスプレイ１６上にデジタルカメラ２０を載置するだけで、ワイヤレスで撮影画像が送信され、インクジェットプリンタ１０内のメモリに記憶される。なお、デジタルカメラ２０は、液晶ディスプレイ１６上のどの位置に載置しても良く、載置すれば自動的に撮影画像が送信されるようになっている。
【００３３】
ここで、図６に示すように、撮影画像の送信中は、デジタルカメラ２０に備えられた液晶ディスプレイに表示された画像がそのまま液晶ディスプレイ１６の全面に表示される。また、既に送信が終了し、インクジェットプリンタ１０内のメモリに記憶された画像は、液晶ディスプレイ１６にサムネイル形式で表示される（四角で囲った部分）。
【００３４】
このようにしてインクジェットプリンタ１０に送信され、メモリに記憶された画像は、液晶ディスプレイ１６に表示されたサムネイルをクリックし、印画を選択することによって給紙トレー１５内のカット紙１２に印画することができる。すなわち、液晶ディスプレイ１６は、カット紙１２に印画可能な情報画面を表示する。そして、印画されたカット紙１２は、収納容器１３内に積層して収納される。
【００３５】
また、液晶ディスプレイ１６は、表示の変更により、インクジェットヘッド１１によってカット紙１２に印画済みの情報画面を表示することができる。すなわち、サムネイル形式で表示された各画像は、収納容器１３内のカット紙１２に印画されたものである。そして、クリックすることによって表示の選択がなされたサムネイルが液晶ディスプレイ１６の全面に表示される。
【００３６】
したがって、本実施形態のインクジェットプリンタ１０は、カット紙１２に印画済みの全ての画像を液晶ディスプレイ１６に表示することができ、収納容器１３内に収納されたカット紙１２を取り出すことなく、印画済みのカット紙１２の画像を縦覧することができる。すなわち、インクジェットプリンタ１０は、そのまま画像の情報表示装置に相当するものとなっている。
【００３７】
さらに、液晶ディスプレイ１６に表示されたサムネイルをクリックしてその画像を選択し、蓋体１４を開けると、選択した画像が印画されたカット紙１２を簡単に取り出すことができる。すなわち、仕分け部材１９（図３参照）により、選択した画像が印画されたカット紙１２よりも上に積層された他の全てのカット紙１２が蓋体１４の裏面側に保持される。そのため、蓋体１４を開ければ、収納容器１３内で積層するカット紙１２の一番上のものが選択した画像が印画されたカット紙１２となる。
【００３８】
このように、本実施形態のインクジェットプリンタ１０は、液晶ディスプレイ１６により、インクジェットヘッド１１で印画され、収納容器１３内に収納されたカット紙１２に印画済みの情報画面を表示することができる。そのため、収納容器１３からカット紙１２を取り出すことなく、印画済みのカット紙１２の画像を縦覧することができる。
【００３９】
また、本実施形態のインクジェットプリンタ１０は、印画されたカット紙１２を収納容器１３から取り出すに際し、液晶ディスプレイ１６に表示されたサムネイルをクリックしてその画像を選択すれば、蓋体１４を開けるだけで簡単に、選択した画像が印画されたカット紙１２を取り出すことができる。
【００４０】
以上、本発明の実施形態について説明したが、本発明は、上記実施形態に限定されることなく、以下のような種々の変形等が可能である。すなわち、
（１）本実施形態では、画像形成装置としてインクジェットプリンタ１０を例に挙げたが、これに限らず、各種のプリンタ、複写機、ファクシミリ等の画像形成装置に適用することができる。
【００４１】
（２）本実施形態では、ライン方式のインクジェットヘッド１１によって印画を行っているが、これに限らず、シリアル方式であっても良い。また、インクの吐出方式は、サーマル方式、静電吐出方式、ピエゾ方式等、何でも良い。さらに、インクジェット方式ではなく、熱転写方式等のヘッドで印画することもできる。
【００４２】
（３）本実施形態では、情報を表示する表示器として液晶ディスプレイ１６を使用し、画像を表示しているが、これに限らず、有機ＥＬ（エレクトロルミネセンス）ディスプレイ等の各種の表示装置を使用することができる。また、表示する情報は、画像の他、文字等であっても良い。
【００４３】
（４）本実施形態では、情報を表示する表示器としてタッチパネル機能を有する液晶ディスプレイ１６を使用し、クリック操作によって情報画面の選択をしているが、タッチパネル機能を省いた各種の表示装置を使用し、別途、情報画面の選択のための操作部を備えるようにしても良い。
【００４４】
（５）本実施形態では、給紙トレー１５の下側に重ねてインクカートリッジ１７を配置しているが、インクカートリッジ１７は、給紙トレー１５の上側であって、排紙トレー（収納容器１３及び蓋体１４）の下側に配置しても良い。なお、この場合のインクカートリッジ１７の交換や、インクカートリッジ１７へのインクの補充は、排紙トレーを開いて行い、給紙トレー１５に対するカット紙１２の補充は、排紙トレー及びインクカートリッジ１７の部分を開いて行うこととなる。
【産業上の利用可能性】
【００４５】
本発明の排紙トレー、給排紙装置、画像形成装置、及び情報表示装置によれば、給紙トレーの上側に排紙トレー（収納容器及び蓋体）が２段重ねで配置されていても、蓋体を開けるだけで簡単に収納容器内の記録用紙を取り出すことができ、また、排紙トレーを開ければ給紙トレーに対する記録用紙の補充が可能となるので、スペース効率やデザイン性に優れたものとして広く利用することができる。
【図面の簡単な説明】
【００４６】
【図１】本実施形態のインクジェットプリンタを示す斜視図である。
【図２】本実施形態のインクジェットプリンタを示す断面図である。
【図３】本実施形態のインクジェットプリンタを示す断面図であり、蓋体を開けた状態を示す図である。
【図４】本実施形態のインクジェットプリンタを示す断面図であり、排紙トレーを構成する収納容器を開けた状態を示す図である。
【図５】本実施形態のインクジェットプリンタを示す断面図であり、カット紙の給紙トレーを開けた状態を示す図である。
【図６】本実施形態のインクジェットプリンタを示す断面図であり、蓋体上に情報が表示された状態を示す図である。
【符号の説明】
【００４７】
１０  インクジェットプリンタ（排紙トレー、給排紙装置、画像形成装置、情報表示装置）
１１  インクジェットヘッド（印画部）
１２  カット紙（記録用紙）
１３  収納容器（排紙トレー）
１４  蓋体（排紙トレー）
１５  給紙トレー
１６  液晶ディスプレイ（表示器）
１７  インクカートリッジ（インク収容部）
１９  仕分け部材
【図１】
2006036449.tif 000003
【図２】
2006036449.tif 000004
【図３】
2006036449.tif 000005
【図４】
2006036449.tif 000006
【図５】
2006036449.tif 000007
【図６】
2006036449.tif 000008